(57)【要約】【課題】電子機器の小型化及びコスト削減を図ることができるとともに、電子機器に設けられた不揮発性メモリの書き換え作業を容易に行うことができるメモリ書き換えシステムを提供する。【解決手段】データが格納された不揮発性メモリ１１を有する電子機器３と、不揮発性メモリ１１のデータを書き換えるメモリライタ２とを備えたメモリ書き換えシステム１において、電子機器３は使用状況に応じた画像を表示する表示装置１７を有し、不揮発性メモリ１１の書き換えが正常に完了したときに表示装置１７の画面の背景色を青色にし、正常に完了しなかったときに表示装置１７の画面の背景色を赤色にした。【選択図】　　　図２
2004126830.tif 000002
【特許請求の範囲】
【請求項１】
データが格納された不揮発性メモリを有する電子機器と、前記不揮発性メモリのデータを書き換えるメモリライタとを備えたメモリ書き換えシステムにおいて、前記電子機器は使用状況に応じた画像を表示する表示装置を有し、前記不揮発性メモリの書き換えの作業状況に応じて前記表示装置の画面の背景色を可変したことを特徴とするメモリ書き換えシステム。
【請求項２】
前記不揮発性メモリのデータを正常に書き換えできた場合と、正常に書き換えできなかった場合とで、前記表示装置の画面の背景色を異なる色にしたことを特徴とする請求項１に記載のメモリ書き換えシステム。
【請求項３】
データ書き換え作業が終了して前記メモリライタと前記電子機器との接続が切断された後に、前記表示装置の画面の背景色が保持されるようにしたことを特徴とする請求項１または請求項２に記載のメモリ書き換えシステム。
【請求項４】
前記電子機器は公衆回線に接続可能なモジュラージャックを備え、前記モジュラージャックを介して前記メモリライタから前記不揮発性メモリにデータを送信することを特徴とする請求項１〜請求項３のいずれかに記載のメモリ書き換えシステム。
【請求項５】
前記メモリライタから公衆回線網またはインターネット網を介して前記不揮発性メモリにデータを送信することを特徴とする請求項４に記載のメモリ書き換えシステム。
【請求項６】
前記電子機器と前記メモリライタとを無線接続し、無線通信により前記メモリライタから前記不揮発性メモリにデータを送信することを特徴とする請求項１〜請求項３のいずれかに記載のメモリ書き換えシステム。
【請求項７】
複数の前記電子機器を前記メモリライタに接続して同時にデータを書き換えできるようにしたことを特徴とする請求項１〜請求項６のいずれかに記載のメモリ書き換えシステム。
【請求項８】
それぞれの前記電子機器は、前記不揮発性メモリのデータを正常に書き換えできた場合と、正常にデータを書き換えできなかった場合とで、前記表示装置の画面の背景色を異なる色にしたことを特徴とする請求項７に記載のメモリ書き換えシステム。
【請求項９】
前記表示装置は、モノクロ液晶表示パネルと、前記モノクロ液晶表示パネルを照明するとともに異なる発光色を有する複数の補助光源とを備えたことを特徴とする請求項１〜請求項８に記載のメモリ書き換えシステム。
【発明の詳細な説明】
【０００１】
【発明の属する技術分野】
本発明は、電子機器に設けられた不揮発性メモリのデータをメモリライタにより書き換えるメモリ書き換えシステムに関する。
【０００２】
【従来の技術】
ファクシミリ装置や電話機等の電子機器には動作の制御プログラム等を格納した不揮発性メモリが設けられている。フラッシュメモリ等の不揮発性メモリはユーザによって書き換えができない読み出し専用の半導体記憶素子から成っている。電子機器の仕様変更や制御プログラムのバグ修正等が必要な場合には、専用のメモリライタによってデータが書き換えられる。
【０００３】
不揮発性メモリは制御基板上に搭載され、電流を印加して一括消去や書き込みを行うことができる。書き込み命令がメモリライタから与えられると不揮発性メモリは命令に従って誤りがないかどうかをチェックしながら順次動作を実行する。また、書き込みが終了すると正確に書き込まれているかどうかの確認動作が行われる。
【０００４】
特許文献１には、不揮発性メモリを搭載した制御基板上にＬＥＤを設けた構成が開示されている。この構成によると、不揮発性メモリにデータを書き込む最中に実行結果をＬＥＤに表示して、不揮発性メモリの書き換え作業の進行状況を把握できるようになっている。これにより、データを全て入力する前にデータの誤り等を発見して再度入力することができ、作業効率を向上できるようになっている。
【０００５】
【特許文献１】
特開平９−１８０４８９号公報（第３頁−第４頁、第１図）
【０００６】
【発明が解決しようとする課題】
しかしながら、上記の特許文献１に開示されたメモリ書き換えシステムによると、書き換え作業視認用にＬＥＤが内蔵されるため、電子機器が大型になる問題があった。また、通常使用されないＬＥＤを内蔵することによって電子機器のコストが増大する問題もあった。更に、制御基板上にＬＥＤが設けられるため、完成品の仕様変更やバグ修正の場合には電子機器の外装の着脱作業を行う必要があり、書き換えの作業時間がかかる問題もあった。
【０００７】
本発明は、電子機器の小型化及びコスト削減を図ることができるとともに、データの書き換え作業を容易に行うことができるメモリ書き換えシステムを提供することを目的とする。
【０００８】
【課題を解決するための手段】
上記目的を達成するために本発明は、データが格納された不揮発性メモリを有する電子機器と、前記不揮発性メモリのデータを書き換えるメモリライタとを備えたメモリ書き換えシステムにおいて、前記電子機器は使用状況に応じた画像を表示する表示装置を有し、前記不揮発性メモリの書き換えの作業状況に応じて前記表示装置の画面の背景色を可変したことを特徴としている。
【０００９】
この構成によると、電子機器の不揮発性メモリとメモリライタとが接続され、不揮発性メモリに電流を印加してデータの書き換え作業が行われる。電子機器に設けられた表示装置には操作メニューや入力内容等の使用状況に応じた画像を表示することができ、不揮発性メモリの書き換えの作業状況に応じて表示装置の画面の背景色が可変される。
【００１０】
例えば、正常にデータを書き換えできた場合には背景色が青色に表示され、正常にデータを書き換えできなかった場合には背景色が赤色に表示される。データ書き換え作業が終了してメモリライタと電子機器との接続が切断された後も背景色を保持すると、作業終了後に作業結果を容易に把握することができる。また、同時に複数の電子機器をメモリライタに接続して同時にデータの書き換えを行ってもよい。表示装置として、カラーＥＬやカラーＬＣＤ等のカラー表示パネル、或いはモノクロ液晶表示パネル等を用いることができる。
【００１１】
電子機器が公衆回線に接続可能なモジュラージャックを備えている場合にはモジュラージャックを介してメモリライタから不揮発性メモリにデータを送信するとよい。公衆回線網またはインターネット網を介してモジュラージャックによりデータを受信してもよい。また、電子機器とメモリライタとを無線接続して、無線通信によりメモリライタから不揮発性メモリにデータを送信してもよい。
【００１２】
【発明の実施の形態】
以下に本発明の実施形態を図面を参照して説明する。図１は第１実施形態のメモリ書き換えシステムの構成を示すブロック図である。メモリ書き換えシステム１は、フラッシュメモリ１１を有する電子機器３と、フラッシュメモリ１１にデータを書き込むメモリライタ２とから成っている。
【００１３】
電子機器３は例えば電話機やファクシミリ装置から成り、マイクロコンピュータを有する制御部１２により各部の動作が制御される。制御部１２には上記のフラッシュメモリ１１、モジュラージャック１０、ＲＡＭ１４．操作キー１３、表示コントローラ１５が接続される。
【００１４】
不揮発性メモリであるフラッシュメモリ１１は電子機器３の制御プログラムが格納され、制御部１２によって制御プログラムを呼出して所定の動作を実行する。モジュラージャック１０は所定のケーブルを装着して公衆回線網に接続可能になっており、公衆回線網を介して電話通信を行うことができる。
【００１５】
書き換え可能なＲＡＭ１４は、制御部１２による演算結果や画像データ等の一時記憶を行う。操作キー１３は電源キー、番号キー、メニューキー等から成り、電話操作等の入力操作を行う。表示コントローラ１５は表示コントローラ１５に接続された表示部１６及びバックライト（補助光源）１８から成る表示装置を制御する。
【００１６】
バックライト１８は赤色光、緑色光、青色光をそれぞれ発光する発光ダイオード１８Ｒ、１８Ｇ、１８Ｂから成り、表示部１６を照明する。表示部１６はモノクロ液晶表示パネルから成っており、操作キー１３による入力結果やメニュー画面等の電子機器３の使用状況に応じた画像を表示する。
【００１７】
発光ダイオード１８Ｒ、１８Ｇ、１８Ｂの一または複数をＯＮすることにより、複数の色を切り替えて表示部１７の表示画面全体を単一色でカラー表示できるようになっている。尚、表示部１７としてカラーＥＬやカラーＬＣＤ等のカラー表示パネルを用いてもよいが、本実施形態の構成にすると安価に表示画面をカラー化することができるのでより望ましい。
【００１８】
メモリライタ２はマイクロコンピュータを有する制御部６より各部の動作が制御される。制御部６には操作部４、記憶部５、ポート７が接続される。操作部４はメモリライタ２によるデータの消去や書き換えの命令を入力する。記憶部５はＲＯＭ、ＲＡＭ、磁気記録装置等から成り、メモリ書き換えシステム１の制御プログラムを格納するとともに、電子機器２のフラッシュメモリ１１に書き込むデータを保管する。
【００１９】
ポート７は記憶部５から取りだしたデータを伝送形態に応じて、例えばシリアル信号にデータを変換する。ポート７に接続されるＩ／Ｏ部８はデータの入出力を行い、電子機器３のモジュラージャック１０に接続されたケーブル２１が接続されている。これにより、メモリライタ２と電子機器３とが通信可能になっている。
【００２０】
上記構成のメモリ書き換えシステム１の動作を図２のフローチャートを参照して説明する。メモリライタ２と電子機器３とをケーブル２１によって接続して操作部４及び操作キー１３によりそれぞれの電源がＯＮされると、メモリライタ２の制御部６により図２の制御プログラムが実行される。
【００２１】
メモリライタ２と電子機器３が通信可能な状態になると、ステップ＃１１で発光ダイオード１８Ｒ、１８Ｇ、１８Ｂを発光して表示部１７の表示画面の背景色を白色にするとともに、表示部１７に「準備完了」等の文字が表示される。ステップ＃１２ではメモリライタ２の操作部４の操作によってフラッシュメモリ１１の書き換えが指示されるまで待機する。
【００２２】
操作部４によってフラッシュメモリ１１の書き換えが指示されると、制御部６により書き換え命令のコマンドが送信される。電子機器３側では書き換え命令のコマンドを受信すると、ステップ＃１３に移行する。ステップ＃１３では発光ダイオード１８Ｇ、１８Ｂが発光して表示部１７の表示画面の背景色を黄色にするとともに、表示部１７に「書き換え開始」等の文字やこれと同義のイラスト等が表示される。
【００２３】
メモリライタ２は書き換え命令のコマンド送信後、記憶部５に格納されたデータを１行づつ送信する。ステップ＃１４では電子機器３が１行のデータを受信するまで待機し、データを受信するとステップ＃１５に移行する。ステップ＃１５では受信したデータに実行エラーがなく正しいか否かが判断される。
【００２４】
受信データにエラーがあるとステップ＃２５に移行する。ステップ＃２５では発光ダイオード１８Ｒが発光して表示部１７の表示画面の背景色を赤色にするとともに、表示部１７に「受信エラー」等の文字やこれと同義のイラスト等が表示される。受信したデータが正しいと、ステップ＃１６で制御部１２によってフラッシュメモリ１１にデータが入力される。
【００２５】
ステップ＃１７ではフラッシュメモリ１１にデータが正常に入力されたか否かが判断される。データの入力にエラーがあるとステップ＃２６に移行する。ステップ＃２６では発光ダイオード１８Ｒが発光して表示部１７の表示画面の背景色を赤色にするとともに、表示部１７に「書込エラー」等の文字やこれと同義のイラスト等が表示される。
【００２６】
データの入力が正常に終了すると、ステップ＃１８でメモリライタ２から送信されるデータが最終行か否かが判断される。最終行でない場合はステップ＃１４に移行して次の行のデータを待機する。最終行の場合はステップ＃１９に移行してフラッシュメモリ１１のデータが正常に書き換えられたか否かがチェックされる。
【００２７】
データが正常に書き換えられなかった場合はステップ＃２７に移行する。ステップ＃２７では発光ダイオード１８Ｒが発光して表示部１７の表示画面の背景色を赤色にするとともに、表示部１７に「サムエラー」等の文字やこれと同義のイラスト等が表示される。
【００２８】
フラッシュメモリ１１のデータが正常に書き換えられた場合はステップ＃２１に移行する。ステップ＃２１では発光ダイオード１８Ｂが発光して表示部１７の表示画面の背景色を青色にするとともに、表示部１７に「書き換え完了」等の文字やこれと同義のイラスト等が表示される。
【００２９】
ステップ＃２２では電子機器３の操作キー１３に設けられた確認スイッチがＯＮされるまで待機し、確認スイッチがＯＮされると制御プログラムを終了する。また、ステップ＃２５、＃２６、＃２７で表示部１７の表示画面の背景色が赤色に表示されるとステップ＃２８に移行し、確認スイッチがＯＮされると制御プログラムを終了する。
【００３０】
尚、制御プログラムの一部はメモリライタ２から電子機器３のＲＡＭ１４に送信され、メモリライタ２と電子機器３との接続が切断されても確認スイッチがＯＮされるまで表示部１７の表示画面の背景色が保持されるようになっている。これにより、作業者が一時作業から離れている間に書き換え作業が終了しても作業結果を把握することができ、正常品と異常品との混入を防止することができる。
【００３１】
本実施形態によると、表示部１７の画面の背景色がフラッシュメモリ１１の書き換え中は黄色になり、フラッシュメモリ１１のデータを正常に書き換えできると青色になる。また、フラッシュメモリ１１のデータを正常に書き換えできなかった場合には表示部１７の画面の背景色が赤色になる（ステップ＃２５、＃２６、＃２７）。
【００３２】
このため、電子機器３の使用状況に応じた画像を表示する表示部１７の背景色がフラッシュメモリ１１の書き換えの作業状況に応じて可変されるので、画面全体を視認して書き換え作業の進行状況を誤りなく容易に把握することができる。また、従来例のように別途、作業状況を確認するための発光ダイオード等を設ける必要がなく、電子機器３の小型化及びコスト削減を図ることができる。
【００３３】
また、電子機器３は公衆回線網に接続可能なモジュラージャック１０を介してデータを受信するので、電子機器３の外装を着脱する必要がなく容易に書き換え作業を行うことができる。モジュラージャック１０に替えてＬＡＮケーブルを接続するＬＡＮ用コネクタを設け、メモリライタ２と電子機器３とをＬＡＮ接続してデータを送受信してもよい。
【００３４】
次に、図３は第２実施形態のメモリ書き換えシステムの構成を示すブロック図である。説明の便宜上、図１に示す第１実施形態と同一の部分には同一の符号を付している。本実施形態はメモリライタ２に複数のポート７及びＩ／Ｏ部８が設けられており、各Ｉ／Ｏ部８に第１実施形態と同様の複数の電子機器３を接続可能になっている。その他の構成は第１実施形態と同様である。
【００３５】
本実施形態によると、メモリライタ２から送信されるデータを複数の各電子機器３が受信してフラッシュメモリ１１を同時に書き換えることができる。各電子機器３の表示部１７はそれぞれの書き換え作業の進行状況に応じて背景色を可変する。これにより、第１実施形態と同様の効果を得ることができるとともに、各電子機器３が正常に書き換えできたか否かを容易に判別することができる。
【００３６】
尚、第１、第２実施形態において、メモリライタ２に接続されたケーブルを２１をモジュラージャック１０に接続しているが、公衆回線網を介してメモリライタ２と電子機器３とを接続してもよい。即ち、図１に破線で示すように、メモリライタ２は公衆回線網２０に接続され、電源がＯＮの接続待機状態になっている。
【００３７】
そして、公衆回線網２０に接続されるケーブルをモジュラージャック１０に接続すると、メモリライタ２と電子機器３とが通信可能になる。また、公衆回線網２０に替えてインターネット網を介してメモリライタ２と電子機器３とを通信可能にしてもよい。
【００３８】
次に、図４は第３実施形態のメモリ書き換えシステムの構成を示すブロック図である。説明の便宜上、図１に示す第１実施形態と同一の部分には同一の符号を付している。本実施形態はアンテナ１９を介して無線２２によりメモリライタ２から電子機器３にデータが送信される。その他の構成は第１実施形態と同様である。
【００３９】
本実施形態によると、電子機器３の外装を着脱することなく無線通信によりフラッシュメモリ１１の書き換え作業を行うことができる。従って、第１実施形態と同様の効果を得ることができる。尚、アンテナ１９に替えて無線ＬＡＮカードを設け、メモリライタ２と電子機器３とを無線ＬＡＮ接続してデータを送受信してもよい。また、無線ＬＡＮにより電子機器３をインターネットに接続してメモリライタ２と電子機器３とを通信可能にしてもよい。
【００４０】
第１〜第３実施形態において、電子機器３は電話機やファクシミリ装置に限られず、制御プログラムを格納する不揮発性メモリを有し、使用状態に応じた表示装置を有していれば他の電子機器であってもよい。例えば、冷蔵庫、空調機、テレビ等でもよい。
【００４１】
【発明の効果】
本発明によると、電子機器の使用状況に応じた画像を表示する表示装置の背景色が不揮発性メモリの書き換えの作業状況に応じて可変されるので、画面全体を視認して書き換え作業の進行状況を誤りなく容易に把握することができる。また、従来例のように別途、作業状況を確認するための発光ダイオード等を設ける必要がなく、電子機器の小型化及びコスト削減を図ることができる。
【００４２】
また、電子機器はモジュラージャックを介してメモリライタと通信可能に接続されるので、電子機器の外装を着脱する必要がなく容易に書き換え作業を行うことができる。
【００４３】
また本発明によると、公衆回線網、インターネット網或いは無線通信によって電子機器とメモリライタとを通信可能に接続するので、不揮発性メモリの書き換え作業をより容易に行うことができる。
【図面の簡単な説明】
【図１】は、本発明の第１実施形態のメモリ書き換えシステムの構成を示すブロック図である。
【図２】は、本発明の第１実施形態のメモリ書き換えシステムの動作を示すフローチャートである。
【図３】は、本発明の第２実施形態のメモリ書き換えシステムの構成を示すブロック図である。
【図４】は、本発明の第３実施形態のメモリ書き換えシステムの構成を示すブロック図である。
【符号の説明】
１　　メモリ書き換えシステム
２　　メモリライタ
３　　電子機器
４　　操作部
５　　記憶部
６　　制御部
７　　ポート
８　　Ｉ／Ｏ部
１０　　モジュラージャック
１１　　フラッシュメモリ
１２　　制御部
１３　　操作キー
１４　　ＲＡＭ
１５　　表示コントローラ
１６　　表示部
１８　　バックライト
１９　　アンテナ
２０　　公衆回線網
２１　　ケーブル
【図１】
2004126830.tif 000003
【図２】
2004126830.tif 000004
【図３】
2004126830.tif 000005
【図４】
2004126830.tif 000006